(57)【要約】【課題】ＳＳＣとＳＳＥのＳＩＰポートの状態を効率的に整合させる。【解決手段】ＳＩＰを扱う通信ネットワーク上のＳＳＥ２およびＳＳＣ３間でＳＩＰポートの状態を整合させるＳＩＰポート状態整合方法であって、ＳＳＣ３においてＬＡＦの再開処理が発生してもデータが消えないディスク領域に、ＳＳＥ２の再開処理が発生したかどうかを示す再開フラグをＳＳＣ３の制御対象であるＳＳＥ２毎に格納する格納ステップと、ＳＳＥ２の再開処理が発生した時、前記再開フラグをオンにするとともに、ＳＳＣ３においてＬＡＦの収集処理が発生した時、前記再開フラグをオフにするフラグ処理ステップと、ＳＳＣ３においてＬＡＦの再開処理が発生した時、前記再開フラグがオンの場合はＳＳＥ２およびＳＳＣ３においてＳＩＰポートの再設定処理を行う再設定処理ステップとを備える。【選択図】図２
2011130159.tif 000002
【特許請求の範囲】
【請求項１】
ＳＩＰを扱う通信ネットワーク上のエッジルータおよびセッション制御サーバ間でＳＩＰポートの状態を整合させるＳＩＰポート状態整合方法であって、
前記セッション制御サーバにおいてＬＡＦの再開処理が発生してもデータが消えないディスク領域に、前記エッジルータの再開処理が発生したかどうかを示す再開フラグを前記セッション制御サーバの制御対象である前記エッジルータ毎に格納する格納ステップと、
前記エッジルータの再開処理が発生した時、前記再開フラグをオンにするとともに、前記セッション制御サーバにおいてＬＡＦの収集処理が発生した時、前記再開フラグをオフにするフラグ処理ステップと、
前記セッション制御サーバにおいてＬＡＦの再開処理が発生した時、前記再開フラグがオンの場合は前記エッジルータおよび前記セッション制御サーバにおいてＳＩＰポートの再設定処理を行う再設定処理ステップと、
を備えることを特徴とするＳＩＰポート状態整合方法。
【請求項２】
ＳＩＰを扱う通信ネットワーク上のエッジルータおよびセッション制御サーバ間でＳＩＰポートの状態を整合させるＳＩＰポート状態整合システムを構成するセッション制御サーバであって、
前記セッション制御サーバにおいてＬＡＦの再開処理が発生してもデータが消えないディスク領域に、前記エッジルータの再開処理が発生したかどうかを示す再開フラグを前記セッション制御サーバの制御対象である前記エッジルータ毎に格納する格納部と、
前記エッジルータの再開処理が発生した時、前記再開フラグをオンにするとともに、前記セッション制御サーバにおいてＬＡＦの収集処理が発生した時、前記再開フラグをオフにするフラグ処理部と、
前記セッション制御サーバにおいてＬＡＦの再開処理が発生した時、前記再開フラグがオンの場合は、前記セッション制御サーバ側のＳＩＰポートの再設定処理を行うとともに、前記エッジルータにＳＩＰポートの再設定オーダを送信する再設定処理部と、
を備えることを特徴とするセッション制御サーバ。
【請求項３】
ＳＩＰを扱う通信ネットワーク上のエッジルータおよびセッション制御サーバ間でＳＩＰポートの状態を整合させるＳＩＰポート状態整合システムを構成するエッジルータであって、
前記セッション制御サーバにおいてＬＡＦの再開処理が発生した時、前記セッション制御サーバから受信したＳＩＰポートの再設定オーダに基づき、前記エッジルータ側のＳＩＰポートの再設定処理を行う再設定処理部
を備えることを特徴とするエッジルータ。
【発明の詳細な説明】
【技術分野】
【０００１】
本発明は、メディアゲートウェイプロトコルを適用した装置間において、それぞれの装置で保持しているＳＩＰ（Session Initiation Protocol）ポートの状態が整合状態にあることを確認するＳＩＰポート状態整合方法、セッション制御サーバ、およびエッジルータに関する。
【背景技術】
【０００２】
従来のメディアゲートウェイプロトコルとしては、例えばＨ．２４８．１がある。このようなメディアゲートウェイプロトコルを適用した装置間において、それぞれの装置で保持しているＳＩＰポートの状態が整合状態にあることを確認する技術が知られている。
【０００３】
図６は、従来のＳＩＰポート状態整合方法を説明するための図である。ここでは、ＳＩＰポートの整合を含むＳＩＰポートの制御を行うために、ＳＩＰを扱う通信ネットワーク１（図示せず）上のエッジルータ２およびセッション制御サーバ３にＨ．２４８．１を適用した場合を想定している。
【０００４】
図６（Ａ）は、適用例を示している。すなわち、ＳＩＰを扱う通信ネットワーク１において、ユーザ端末（例えば、ユーザ端末４Ａ）に係わるＳＩＰポートとして、第１のアドレス１ａ、第２のアドレス２ａ、第３のアドレス３ａ、および第４のアドレス４ａの４つのアドレスがあるとする。これら４つのアドレスは、セッション制御サーバ３であるＭＧＣ（Media Gateway Controller）と、エッジルータ２であるＭＧ（Media Gateway）により制御される。
【０００５】
ここでいう第１のアドレス１ａとは、セッション制御サーバ３等がユーザ端末４Ａに対して通知するアドレスである。具体的には、ユーザ端末４ＡのＩＰアドレスとポート番号であり、セッション制御サーバ３が承知しているアドレスである。また、第２のアドレス２ａとは、第１のアドレス１ａを持つユーザ端末４ＡがＳＩＰパケットを送信するときのあて先ＩＰアドレスとなるアドレスである。具体的には、エッジルータ２のＩＰアドレスとポート番号であり、変更の可能性が高いアドレスである。また、第３のアドレス３ａとは、エッジルータ２が、ユーザ端末４Ａから送信されてくる第１のアドレス１ａを送信元ＩＰアドレスとし、また第２のアドレス２ａをあて先ＩＰアドレスとしたＳＩＰパケットをセッション制御サーバ３に送信するときの送信元ＩＰアドレスとなるアドレスである。具体的には、エッジルータ２のＩＰアドレスとポート番号であり、変更の可能性が高いアドレスである。また、第４のアドレス４ａとは、エッジルータ２が、ユーザ端末４Ａから送信されてくる第１のアドレス１ａを送信元ＩＰアドレスとし、また第２のアドレス２ａをあて先ＩＰアドレスとしたＳＩＰパケットをセッション制御サーバ３に送信するときのあて先ＩＰアドレスとなるアドレスである。具体的には、セッション制御サーバ３のＩＰアドレスとポート番号であり、セッション制御サーバ３が承知しているアドレスである。
【０００６】
これら４つのアドレスの制御では、第１のアドレス１ａおよび第２のアドレス２ａを含むターミネーションをターミネーションＡＡとし、このターミネーションＡＡのＩＤ（Identification）をＴＡＡとする。また、第３のアドレス３ａおよび第４のアドレス４ａを含むターミネーションをターミネーションＡＢとし、このターミネーションＡＢのＩＤをＴＡＢとする。また、ターミネーションＡＡおよびターミネーションＡＢを含むコンテキストをコンテキストＡとし、このコンテキストＡのＩＤをＣＡとする。
【０００７】
図６（Ｂ）は、初期状態またはＬＡＦ（Latest File）収集時のセッション制御サーバ３およびエッジルータ２が保持するコンテキストＡを示している。コンテキストＡのコンテキストＩＤ、ターミネーションＡＡのターミネーションＩＤ、ターミネーションＡＡ内のアドレス、ターミネーションＡＢのターミネーションＩＤ、ターミネーションＡＢ内のアドレスは、それぞれセッション制御サーバ３とエッジルータ２とで一致した状態にある。なお、ＬＡＦとは、前日にバックアップした交換機の所データファイルおよびシステムファイルをいい、所データとは、交換機による相違を示すデータをいう。
【０００８】
図６（Ｃ）は、ＳＩＰポートの再設定が行われた時のコンテキストＡを示している。セッション制御サーバ３が再設定をエッジルータ２に要求すると、エッジルータ２がターミネーションＡＢを再設定する。ここでは、ターミネーションＡＢ内の第３のアドレス３ａが３ａｂに再設定された場合を例示している。エッジルータ２は、再設定した結果を再設定応答としてセッション制御サーバ３に送信し、セッション制御サーバ３は、受信した再設定応答を蓄積する。
【０００９】
ターミネーションＡＢ内の第３のアドレス３ａが３ａｂに再設定されたものの、コンテキストＡのコンテキストＩＤ、ターミネーションＡＡのターミネーションＩＤ、ターミネーションＡＡ内のアドレス、ターミネーションＡＢのターミネーションＩＤ、ターミネーションＡＢ内のアドレスは、それぞれセッション制御サーバ３とエッジルータ２とで一致した状態にある。従って、このときは、ターミネーションＩＤが一致すればターミネーション内のアドレスも一致した状態にあるという論理が成り立つ。そのため、ターミネーションＩＤの一致を確認することで、ＳＩＰポート（４つのアドレス）の状態が整合状態にあることを確認することが可能である。
【００１０】
なお、ターミネーションＡＢのターミネーションＩＤをそれまでのＴＡＢから他のＩＤに変えるか否かはエッジルータ２に依存する。ここでは、ターミネーションＩＤを変えない場合を示している。ターミネーションＩＤを変えても変えなくても、ターミネーションＩＤの一致を確認することでＳＩＰポートの状態が整合状態にあることを確認することが可能である点は同じである。
【００１１】
図６（Ｄ）は、図６（Ｃ）に示すＳＩＰポート再設定の後、セッション制御サーバ３にＬＡＦ再開が発生した時のコンテキストＡを示している。ＬＡＦ再開が発生すると、図６（Ｂ）に示すＬＡＦ収集時の状態に戻ることになる。一方、エッジルータ２にはＬＡＦ再開が発生していないので、図６（Ｃ）に示す状態が継続される。
【００１２】
この結果、コンテキストＡのコンテキストＩＤ、コンテキストＡ内のターミネーションのターミネーションＩＤは、それぞれセッション制御サーバ３とエッジルータ２とで一致するが、ターミネーションＡＢ内の第３のアドレスは、セッション制御サーバ３とエッジルータ２とで一致しないことになる。このことにより、ＬＡＦ収集以降ＬＡＦ再開以前にＳＩＰポートの再設定が行われると、コンテキストＩＤおよびターミネーションＩＤの一致を確認することでＳＩＰポートの状態が整合状態にあることを確認することが不可能になる。すなわち、コンテキストＩＤおよびターミネーションＩＤがセッション制御サーバ３とエッジルータ２とで一致しても、ターミネーション内のアドレスがセッション制御サーバ３とエッジルータ２とで一致していない可能性がある。こうした現象は、ターミネーション内のアドレスが異なるターミネーションに対し、同じターミネーションＩＤを付けることが許容されていることに起因している。
【００１３】
このような場合は、全てのユーザに対してターミネーション内のアドレスが一致しているか否かを確認する。全てのユーザに対してターミネーション内のアドレスが一致している場合は、ターミネーションＩＤの一致を確認することでＳＩＰポートの状態が整合状態にあることを確認することが可能である。
【先行技術文献】
【非特許文献】
【００１４】
【非特許文献１】Ｈ．２４８．１「Gateway control protocol」  ＩＴＵ−Ｔ
【発明の概要】
【発明が解決しようとする課題】
【００１５】
上述したように、従来技術によると、ＬＡＦ収集以降ＬＡＦ再開以前など旧設定状態に戻っている場合にＳＩＰポートの再設定が行われると、コンテキストＩＤおよびターミネーションＩＤの一致を確認することでＳＩＰポートの状態が整合状態にあることを確認することが不可能になる。そこで、全てのユーザに対してターミネーション内のアドレスが一致しているか否かを確認するという方法があるが、このような方法によると、ＬＡＦ再開時におけるセッション制御サーバとエッジルータのＳＩＰポートの整合処理の負荷が大きくなるという問題がある。
【００１６】
本発明は、上述した従来の技術に鑑み、セッション制御サーバとエッジルータのＳＩＰポートの状態を効率的に整合させることができるＳＩＰポート状態整合方法、セッション制御サーバ、およびエッジルータを提供することを目的とする。
【課題を解決するための手段】
【００１７】
上記目的を達成するため、第１の態様に係る発明は、ＳＩＰを扱う通信ネットワーク上のエッジルータおよびセッション制御サーバ間でＳＩＰポートの状態を整合させるＳＩＰポート状態整合方法であって、前記セッション制御サーバにおいてＬＡＦの再開処理が発生してもデータが消えないディスク領域に、前記エッジルータの再開処理が発生したかどうかを示す再開フラグを前記セッション制御サーバの制御対象である前記エッジルータ毎に格納する格納ステップと、前記エッジルータの再開処理が発生した時、前記再開フラグをオンにするとともに、前記セッション制御サーバにおいてＬＡＦの収集処理が発生した時、前記再開フラグをオフにするフラグ処理ステップと、前記セッション制御サーバにおいてＬＡＦの再開処理が発生した時、前記再開フラグがオンの場合は前記エッジルータおよび前記セッション制御サーバにおいてＳＩＰポートの再設定処理を行う再設定処理ステップとを備えることを要旨とする。
【００１８】
また、上記目的を達成するため、第２の態様に係る発明は、ＳＩＰを扱う通信ネットワーク上のエッジルータおよびセッション制御サーバ間でＳＩＰポートの状態を整合させるＳＩＰポート状態整合システムを構成するセッション制御サーバであって、前記セッション制御サーバにおいてＬＡＦの再開処理が発生してもデータが消えないディスク領域に、前記エッジルータの再開処理が発生したかどうかを示す再開フラグを前記セッション制御サーバの制御対象である前記エッジルータ毎に格納する格納部と、前記エッジルータの再開処理が発生した時、前記再開フラグをオンにするとともに、前記セッション制御サーバにおいてＬＡＦの収集処理が発生した時、前記再開フラグをオフにするフラグ処理部と、前記セッション制御サーバにおいてＬＡＦの再開処理が発生した時、前記再開フラグがオンの場合は、前記セッション制御サーバ側のＳＩＰポートの再設定処理を行うとともに、前記エッジルータにＳＩＰポートの再設定オーダを送信する再設定処理部とを備えることを要旨とする。
【００１９】
また、上記目的を達成するため、第３の態様に係る発明は、ＳＩＰを扱う通信ネットワーク上のエッジルータおよびセッション制御サーバ間でＳＩＰポートの状態を整合させるＳＩＰポート状態整合システムを構成するエッジルータであって、前記セッション制御サーバにおいてＬＡＦの再開処理が発生した時、前記セッション制御サーバから受信したＳＩＰポートの再設定オーダに基づき、前記エッジルータ側のＳＩＰポートの再設定処理を行う再設定処理部を備えることを要旨とする。
【発明の効果】
【００２０】
本発明によれば、セッション制御サーバとエッジルータのＳＩＰポートの状態を効率的に整合させることができるＳＩＰポート状態整合方法、セッション制御サーバ、およびエッジルータを提供することができる。
【図面の簡単な説明】
【００２１】
【図１】本発明の実施の形態におけるＳＩＰポート状態整合システムの構成例を示す図である。
【図２】本発明の実施の形態におけるＳＳＥおよびＳＳＣの構成例を示す図である。
【図３】本発明の実施の形態における再開フラグ格納部の構成を示す図である。
【図４】本発明の実施の形態におけるＳＩＰポート状態整合システムの動作例を示すシーケンスチャートである。
【図５】本発明の効果を説明するための図である。
【図６】従来のＳＩＰポート状態整合方法を説明するための図である。
【発明を実施するための形態】
【００２２】
以下、本発明の実施の形態について図面を参照して詳細に説明する。
【００２３】
図１は、本発明の実施の形態におけるＳＩＰポート状態整合システムの構成例を示す図である。ここでは、ＮＧＮ（Next Generation Network）に本発明を適用した場合を想定している。なお、図６に示したものと同一または同等の機能要素については同一の符号を割り当てることとし、詳細な説明については省略する。
【００２４】
本発明の実施の形態におけるＳＩＰポート状態整合システムは、図１に示すように、ネットワーク１と、ＳＳＥ（Subscriber Service Edge）２と、ＳＳＣ（Subscriber Session Control server）３と、ユーザ端末４Ａと、ユーザ端末４Ｂとを備えている。ネットワーク１には、ＳＳＥ２、ＳＳＣ３、ユーザ端末４Ａ、およびユーザ端末４Ｂが接続されている。ここではユーザ端末４Ａとユーザ端末４Ｂとを区別しているが、ユーザ端末を区別しない場合は一括してユーザ端末４と称する。ネットワーク１は、ＩＰパケットを伝送可能とする通信ネットワークである。ＳＳＥ２は、ユーザ端末４との間でＩＰパケットの送受信を行うエッジルータであり、Ｈ．２４８．１のＭＧに準じた機能を持つ。ＳＳＣ３は、セッション制御機能等を有するセッション制御サーバであり、Ｈ．２４８．１のＭＧＣに準じた機能を持つ。ユーザ端末４Ａは、ユーザ５Ａが操作する端末装置である。ユーザ端末４Ｂは、ユーザ５Ｂが操作する端末装置である。
【００２５】
本発明の実施の形態におけるＳＩＰポート状態整合システムは、ユーザ端末４Ａに係わるＳＩＰポートとして、第１のアドレス１ａ、第２のアドレス２ａ、第３のアドレス３ａ、および第４のアドレス４ａの４つのアドレスを含むターミネーション情報をターミネーションＩＤだけで管理する。第２のアドレスおよび第３のアドレスはローカルアドレスである。
【００２６】
図２は、本発明の実施の形態におけるＳＳＥ２およびＳＳＣ３の構成例を示す図である。ＳＳＥ２およびＳＳＣ３の機能のうち本発明に関係する部分のみを概念的に示している。ここでは、ＳＳＥ２を一つしか示していないが、ＳＳＣ３は複数のＳＳＥ２に対応しており、ＳＳＥ２毎に同様の処理が実行される。
【００２７】
ＳＳＥ２は、ＳＳＥ再開処理部２１と、再開情報送信部２２と、ＳＩＰポート再設定処理部２３とを備えている。ＳＳＥ再開処理部２１は、ＳＳＥ再開処理を行う。ＳＳＥ再開処理とは、ＳＳＥ２を再開（初期化）する処理をいう。ＳＳＥ再開時には、ＳＩＰポートのターミネーション情報が失われる。再開情報送信部２２は、ＳＳＥ２の再開処理が発生した旨を示す情報（再開情報）をＳＳＥ２からＳＳＣ３に送信する。ＳＩＰポート再設定処理部２３は、ＳＳＥ２側のＳＩＰポートを再設定する。具体的には、ＳＳＣ３においてＬＡＦの再開処理が発生し、不整合を検知した場合、ＳＳＣ３から受信したＳＩＰポートの再設定オーダに基づき、ＳＳＥ２側のＳＩＰポートの再設定処理を行う。
【００２８】
ＳＳＣ３は、再開情報受信部３１と、再開フラグ処理部３２と、再開フラグ格納部３３と、ＬＡＦ再開処理部３４と、再開フラグ参照部３５と、ＳＩＰポート再設定処理部３６と、ＬＡＦ収集処理部３７とを備えている。再開情報受信部３１は、再開情報をＳＳＥ２から受信して再開フラグ処理部３２とＳＩＰポート再設定処理部３６に渡す。再開フラグ処理部３２は、ＳＳＥ２の再開処理が発生した時、再開情報受信部３１から渡された再開情報に基づき再開フラグ格納部３３にアクセスし、ＳＳＥ２の再開処理が発生したかどうかを示すフラグ（再開フラグ）をオンにする。また、再開フラグ処理部３２は、ＳＳＣ３によるＬＡＦ収集処理が発生した時（ＬＡＦ収集時）にＬＡＦ収集処理部３７からの情報に基づき再開フラグをオフにする。ＬＡＦ収集処理とは、交換機の所データファイル、ＳＯデータファイル、運用データファイルおよびシステムファイル等のバックアップをとる処理をいう。再開フラグ格納部３３は、再開フラグをＳＳＥ毎に格納する（後述する）。ＬＡＦ再開処理部３４は、ＬＡＦ再開処理を行う。ＬＡＦ再開処理とは、ＬＡＦ収集処理により収集されたＬＡＦによる再開処理をいう。再開フラグ参照部３５は、ＬＡＦ再開処理が行われると、再開フラグ格納部３３に格納されている再開フラグを参照する。フラグオンだった場合、再開フラグ参照部３５はＳＩＰポート再設定処理部３６に通知し、通知を受けたＳＩＰポート再設定処理部３６はＳＳＣ３側のＳＩＰポートの再設定処理を行うとともに、ＳＳＥ２にＳＩＰポートの再設定オーダを送信する。このようなＳＩＰポートの再設定処理は、（１）再開情報を受け取った場合と、（２）ＳＳＣ３においてＬＡＦの再開処理が発生した時に再開フラグがオンの場合（３）ＳＩＰポート整合処理が発生した時に不整合が検知された場合に行われる。ＬＡＦ収集処理部３７は、ＬＡＦを収集して再開フラグ処理部３２に渡す。
【００２９】
図３は、本発明の実施の形態における再開フラグ格納部３３の構成を示す図である。この図に示すように、再開フラグ格納部３３は、ＳＳＣ３においてＬＡＦ再開処理が発生してもデータが消えないディスク領域に再開フラグをＳＳＥ毎に格納している。そして、ＳＳＥ再開時にフラグオン、ＳＳＣ３によるＬＡＦ収集時にフラグオフし、ＳＳＣ３によるＬＡＦ再開処理が発生した場合はこれら再開フラグを参照し、フラグオンになっているＳＳＥ２のＳＩＰポートを再設定する。
【００３０】
図４は、本発明の実施の形態におけるＳＩＰポート状態整合システムの動作例を示すシーケンスチャートである。具体的には、ＳＳＥ２とＳＳＣ３の間のシーケンスを示している。以下、このＳＩＰポート状態整合システムの動作を図４にしたがって説明する。
【００３１】
まず、ＳＳＥ再開処理部２１は、ＳＳＥ２の再開処理を行うと（ステップＡ１）、その旨を再開情報送信部２２に通知する。この通知を受けた再開情報送信部２２は、再開情報を再開情報受信部３１に送信する（ステップＡ２）。既に説明した通り、ＳＳＥ再開時には、ＳＩＰポートのターミネーション情報が失われる。
【００３２】
再開情報受信部３１は、再開情報をＳＳＥ２から受信すると（ステップＡ３）、この再開情報を再開フラグ処理部３２とＳＩＰポート再設定処理部３６に渡す。再開フラグ処理部３２は、再開情報を再開情報受信部３１から受け取ると、この再開情報に基づき、再開フラグ格納部３３に格納されている再開フラグをオンにする（ステップＡ６）。また、ＳＩＰポート再設定処理部３６は、再開情報を再開情報受信部３１から受け取ると、ＳＩＰポート再設定オーダ（具体的には、（１）ＳＩＰポート情報の削除、（２）ＳＩＰポート情報の作成）をＳＩＰポート再設定処理部２３に送信するとともに、ＳＳＣ３側のＳＩＰポートの再設定処理を行う（ステップＡ４）。
【００３３】
ＳＩＰポート再設定処理部２３は、ＳＩＰポート再設定オーダをＳＩＰポート再設定処理部３６から受信すると、ＳＳＥ２側のＳＩＰポートの再設定処理を行う（ステップＡ５）。この場合、ＳＩＰポート再設定処理部２３は、ＳＩＰポートのターミネーション情報が失われた状態でＳＩＰポートの再設定処理を行うため、自ら決定したＳＩＰポート情報を設定する（ＳＳＥ再開時にＳＳＣ３がＬＡＦ再開処理を行うと、ＳＳＣ３側とＳＳＥ２側のＳＩＰポート情報が不整合になる可能性がある）。
【００３４】
ＬＡＦ収集処理部３７は、ＬＡＦ収集処理を行うと（ステップＡ７）、その旨を再開フラグ処理部３２に通知する。この通知を受けた再開フラグ処理部３２は、再開フラグ格納部３３に格納されている再開フラグをオフにする（ステップＡ８）。
【００３５】
ＬＡＦ再開処理部３４は、ＬＡＦ再開処理を行うと（ステップＡ９）、その旨を再開フラグ参照部３５に通知する。この通知を受けた再開フラグ参照部３５は、再開フラグ格納部３３に格納されている再開フラグを参照し（ステップＡ１０）、再開フラグがオンの場合（ステップＡ１１でＹＥＳ）、その旨をＳＩＰポート再設定処理部３６に通知する。この通知を受けたＳＩＰポート再設定処理部３６は、ＳＳＣ３側のＳＩＰポートの再設定処理を行うとともに、ＳＩＰポート再設定オーダをＳＩＰポート再設定処理部２３に通知する（ステップＡ１２）。この通知を受けたＳＩＰポート再設定処理部２３は、ＳＳＥ２側のＳＩＰポートの再設定処理を行う（ステップＡ５）。一方、再開フラグがオフの場合（ステップＡ１１でＮＯ）、ＳＩＰポート再設定処理部３６は、ＳＩＰポート再設定処理をスキップする（ステップＡ１１）。
【００３６】
図５は、本発明の効果を説明するための図であり、具体的には、従来のＳＩＰポート状態整合システムの動作例を示すシーケンスチャートである。
【００３７】
既に説明した通り、従来技術によると、ＬＡＦ再開時におけるＳＳＣ３とＳＳＥ２のＳＩＰポートの整合処理の負荷が大きくなるという問題がある。すなわち、従来のＳＩＰポート状態整合システムでは、ＬＡＦ再開処理を行うと（ステップＡ２７）、ＳＳＣ３とＳＳＥ２のＳＩＰポートの整合処理を行う（ステップＡ２８）。そして、ＳＩＰポートの不整合が発生している場合（ステップＡ２９でＹＥＳ）、ＳＳＣ３側のＳＩＰポートの再設定処理を行うとともに、ＳＳＥ２側のＳＩＰポートの再設定処理を行う（ステップＡ３０→Ａ２５）。このように、従来のＳＩＰポート状態整合システムによると、ＳＳＣ３とＳＳＥ２のＳＩＰポートの整合処理（ステップＡ２８）が必要であった。それに対して、本発明によれば、再開処理が発生したＳＳＥ２に対してはＳＳＣ３がＳＩＰポートの再設定処理を行うようにしたので、このようなＳＩＰポートの整合処理を行わなくて済む。
【００３８】
以上のように、本発明によれば、セッション制御サーバとエッジルータのＳＩＰポートの状態を効率的に整合させることができる。すなわち、再開処理が発生したエッジルータについては、セッション制御サーバがＬＡＦ再開処理を行うとＳＩＰポートの不整合が多量に発生する可能性がある。そこで、本発明では、再開処理が発生したエッジルータに対してはセッション制御サーバがＳＩＰポートの再設定処理を行うようにした。これにより、ＳＩＰポートの整合処理を行わなくて済むため、セッション制御サーバによるＬＡＦ再開時のセッション制御サーバとエッジルータのＳＩＰポートの整合処理の負荷を大幅に軽減することができる。この効果は、エッジルータに対して大量にＳＩＰポートを設定している場合ほど顕著である。
【符号の説明】
【００３９】
２…ＳＳＥ
２１…ＳＳＥ再開処理部
２２…再開情報送信部
２３…ＳＩＰポート再設定処理部
３…ＳＳＣ
３１…再開情報受信部
３２…再開フラグ処理部
３３…再開フラグ格納部
３４…ＬＡＦ再開処理部
３５…再開フラグ参照部
３６…ＳＩＰポート再設定処理部
３７…ＬＡＦ収集処理部
【図１】
2011130159.tif 000003
【図２】
2011130159.tif 000004
【図３】
2011130159.tif 000005
【図４】
2011130159.tif 000006
【図５】
2011130159.tif 000007
【図６】
2011130159.tif 000008